(57)【要約】【課題】上階床上への積層を最小限に留め、かつ天井と上階床の間の空間が小さくても床衝撃音の解消に効果を発揮し、建物の高さに影響を及ぼすことなく主として軽量床衝撃音を効果的に低減することを可能とする木造建造物の防音床構造を提供する。【解決手段】床下材１０の上面に敷設された下地材４と、下地材４の上面に間隔を置いて略平行に粘着されることにより設けられた帯板材よりなるスペーサー材７と、スペーサー材７の間隔内に形成される空気層５と、スペーサー材７の上面に粘着されることにより設置された床上材６と、を具備し、多層構造とされていることを特徴とする。【選択図】      図２
2010248862.tif 000002
【特許請求の範囲】
【請求項１】
床下材の上面に敷設された下地材と、下地材の上面に間隔を置いて略平行に粘着されることにより設けられた帯板材よりなるスペーサー材と、スペーサー材の前記間隔内に形成される空気層と、スペーサー材の上面に粘着されることにより設置された床上材と、を具備し、多層構造とされていることを特徴とする床構造。
【請求項２】
前記スペーサー材は、帯板状の合板又は木質ファイバーボードにより形成され、両面に剥離紙によって覆われた粘着剤層を有することを特徴とする請求項１に記載の床構造。
【請求項３】
前記下地材とスペーサー材とは、木質ファイバーボードにより形成されるとともに、下地材はスペーサー材よりも木質繊維の密度が低い低密度のファイバーボードにより形成されていることを特徴とする請求項１に記載の床構造。
【請求項４】
前記スペーサー材はミディアムデンシティファイバーボード（ＭＤＦ）により形成され、前記下地材はインシュレーションファイバーボードにより形成されていることを特徴とする請求項１又は３に記載の床構造。
【請求項５】
前記空気層は、その上下幅が略３ｍｍ〜略５ｍｍ望ましくは略４ｍｍ、その左右幅が略２５０ｍｍ〜略４５０ｍｍ望ましくは略３００ｍｍとされていることを特徴とする請求項１乃至４のいずれかに記載の床構造。
【請求項６】
請求項１乃至５のいずれかに記載の床構造の施工方法において、前記床下材の上面に前記下地材を敷設して設け、上下両面に予め形成した粘着剤層を上下剥離紙で被覆した複数のスペーサー材を、下剥離紙を剥離した状態で下地材の上面に間隔を置いて粘着させることにより設け、該スペーサー材の前記間隔内に空気層を形成し、スペーサー材の上剥離紙を剥離させながら、スペーサー材及び空気層の上面に床上材を粘着して設けるようにしたことを特徴とする床構造の施工方法。
【請求項７】
請求項１乃至５のいずれかに記載の床構造の再生方法において、多層の前記床構造を構成する、前記床上材と前記スペーサー材とを互いに粘着された状態で剥離し、次に、記下地材を前記床下材から剥離し、剥離された床下材の上面に、再生床処理を施すようにしたことを特徴とする床構造の再生方法。
【発明の詳細な説明】
【技術分野】
【０００１】
本発明は、建造物の床構造、特に、２階以上の複数階を有する木造住宅の床板として用いて有用な防音床構造、及びその施工方法及びその再生方法に関するものである。
【背景技術】
【０００２】
住宅内で発生する騒音（衝撃音）には、例えば、子供の飛び跳ね走り回り等による重くて柔らかいものの衝撃による重量床衝撃音や、ハイヒールの歩行や家具の移動或いはテーブルんから落下したスプーンの落下音等による比較的軽くて硬いものの衝撃による軽量床衝撃音や、テレビや話し声等の空気中を伝搬する空気伝搬音があり、特に、２階以上の複数階を有する木造住宅においては、上階で生じるこれら床衝撃音が下階に伝達されることによる弊害を回避できるような種々の工夫がなされることが必要である。
【０００３】
鉄筋コンクリート造り等の重量建築物では、上下階の間に重量物であるコンクリートによる床を敷設することが容易であり、コンクリートの床を厚くすることや、また、緩衝材を組み込んだ床構造とすることで十分な遮音性能を確保することが可能である。このような、遮音床構造としては、下記特許文献１に記載されるような構造がある。
【０００４】
特許文献１に記載される防音床構造は、床材の下面に制振鋼板を取り付け、この制振鋼板の下側にダイナミックダンパを設けた構造である。特許文献１の構造では、高振動数領域での振動に対しては制振鋼板が、低振動数領域の振動に対してはダイナミックダンパがそれぞれ振動低減効果を発揮させるようにしている。
【先行技術文献】
【特許文献】
【０００５】
【特許文献１】特許第２６８３４４７号公報
【発明の概要】
【発明が解決しようとする課題】
【０００６】
しかし、例えば木造住宅等の軽量建築物に、重量物、例えばコンクリート板や上記制動鋼板を敷設することは、特殊工程となるために施工コストが嵩む上、床面のみを上記重量物で構成する構造では、梁や柱を伝播する振動音を解消しにくいという欠点がある。
また、上階室の床構造の剛性を高めて衝撃の発生自体を抑える上記従来の構造では、構造上過剰設計となり、コストが増大するという問題がある。
【０００７】
したがって、木造住宅では、緩衝材や吸音材を組み合わせた様々な床構造が開発され、振動音を解消することが試みられている。ところが、一般的に、重量床衝撃音は低周波の成分が多いので振動抑制が効果的で、軽量床衝撃音は中高音域の成分が多いので緩衝性のある部材が効果を発揮するため、従来の防音床構造では、軽量床衝撃音を効果的に低減する床構造として有効な手段とは成り得ていない。
【０００８】
また、このような床衝撃音を低減する手段として天井空間が効果的な役割を果たしているが、従来この天井と上階床との間には限定寸法に余裕があったため、緩衝材や吸音材を組み合わせた床構造としても、建物全体高さに与える影響は少なかったが、最近では天井高を高く取る傾向にあり、天井と上階床に間の限定寸法に余裕が無くなってきており、上階床の上への積層による組み合わせは困難となってきている。さらに、天井と上階床の間の空間が広いほど床衝撃音には効果があるが、天井高を高く取る傾向から空間は狭まってきており、床衝撃音への効果が薄れてきている。
【０００９】
そこで本発明は、以上の課題を解決するものであり、その目的とするところは、上階床上への積層を最小限に留め、かつ天井と上階床の間の空間が小さくても床衝撃音の解消に効果を発揮し、建物の高さに影響を及ぼすことなく主として軽量床衝撃音を効果的に低減することを可能とする木造建造物の防音床構造、特に、２階以上の複数階を有する木造住宅における上下階の間の防音床構造として最適の床構造を提供することにある。
【００１０】
さらに、本発明では、上記床構造の施工及びリフォームを有効に行わせることができる施工方法及び再生方法を提供することを目的とする。
【課題を解決するための手段】
【００１１】
請求項１に記載される本発明の床構造は、床下材１０の上面に敷設された下地材４と、下地材４の上面に間隔を置いて略平行に粘着されることにより設けられた帯板材よりなるスペーサー材７と、スペーサー材７の前記間隔内に形成される空気層５と、スペーサー材７の上面に粘着されることにより設置された床上材６と、を具備し、多層構造とされていることを特徴としている。
【００１２】
このような多層構造及び中間層に形成される空気層５の存在により、比較的上下厚さの薄い構造により、主として軽量床衝撃音及び空気伝搬音を効率的に低減若しくは遮音させることができる。
【００１３】
請求項２の発明では、前記スペーサー材７は、両面に剥離紙７ｂによって覆われた粘着剤７ａ層を有する、帯板状の合板又は木質ファイバーボードにより形成されていることを特徴とする。
【００１４】
このようなスペーサー材７を用いることにより、後述する、建築施工及び再生施工が容易で能率的となり、且つ、空気層５の形成が容易となる。また、空気層５の形成が隣り合う帯板状スペーサー材７の間隔により形成されるため、床上荷重がスペーサー材７の面により分散して受けられることになり、使用によっても空気層５が潰れるということがなく、その防音効果が持続することになる。
【００１５】
請求項３の発明では、前記下地材４とスペーサー材７とは、木質ファイバーボードにより形成されるとともに、下地材はスペーサー材よりも木質繊維の密度が低い低密度のファイバーボードにより形成されていることを特徴としている。
【００１６】
請求項４の発明では、前記スペーサー材７はミディアムデンシティファイバーボード（ＭＤＦ）により形成され、前記下地材はインシュレーションファイバーボードにより形成されていることを特徴としている。
【００１７】
ここで、ファイバーボードとは、蒸解した木材繊維を接着剤と混合し熱圧成型した木質ボードである。比重が小さい方からインシュレーションボード（密度：０．３５／ｃｍ3 未満）、ＭＤＦ（密度：０．３５ｇ／ｃｍ3 以上，０．８０ｇ／ｃｍ3 未満）、ハードボード（密度：０．８０ｇ／ｃｍ3 以上）となる。
【００１８】
請求項５の発明では、前記空気層５は、その上下幅が略３ｍｍ〜略５ｍｍ望ましくは略４ｍｍ、その左右幅が略２５０ｍｍ〜略４５０ｍｍ望ましくは略３００ｍｍとされていることを特徴としている。
【００１９】
上記請求項３乃至５の構造とするこにより、上記多層の緩衝層と空気層が床構造の中層部に形成されることにより、主として軽量床衝撃音及び空気伝搬音を一層効率的に低減若しくは遮音させることができる。
【００２０】
本発明に係る床構造の施工方法は、前記床下材１０の上面に前記下地材４を敷設して設け、上下両面に予め形成した粘着剤７ａ，７ａ層を上下剥離紙７ｂ，７ｂで被覆した複数のスペーサー材７を、下剥離紙７ｂを剥離した状態で下地材４の上面に間隔を置いて粘着させることにより設け、該スペーサー材７の前記間隔内に空気層５を形成し、スペーサー材７の上剥離紙７ｂを剥離させながら、スペーサー材７及び空気層５の上面に床上材６を粘着して設けるようにしたことを特徴としている。
【００２１】
上記の施工方法によれば、下地材４とスペーサー材７と床上材６の粘着施工を、スペーサー材７上下の剥離紙７ｂを剥離しながら行い、各部材の粘着面に現場で粘着剤を塗布するということがないため、その作業が容易で、粘着剤の養生のための時間も節約でき、能率的である。特に、上剥離紙７ｂを途中まで剥離して、剥離した粘着面に長板状の床上材６を粘着し、該粘着後に、さらに上剥離紙７ｂを剥離して、次の長板状とした床上材６を前の床上材６に接合させるようにして粘着させることにより、順次床上材６を粘着して、床仕上面を構成させることにより、床仕上作業中に粘着剤によるベトツキがなく、床仕上面の構成作業が容易となる。また、この施工方法によれば、隣り合うスペーサー材７の間隔内に中間空気層５が形成されるため、空気層５の形成が容易で確実である。
【００２２】
本発明に係る床構造の再生方法では、古くなった既存の上記床構造を構成する、前記床上材６と前記スペーサー材７とを、互いに粘着された状態で剥離し、次いで、前記下地材４を前記床下材１０から剥離する。剥離された床下材１０の上面に、再生床処理を施すようにしたことを特徴とする。再生床処理としては、上記のような新たな多層の防音床構造を施工させ、或いは、床下材１０の上面に通常のフローリング加工を施すなど、各種の再生床処理を施すことができる。
【００２３】
上記再生方法において、上記請求項３乃至５に示すように、下地材４はスペーサー材７よりも木質繊維の密度が低い低密度のファイバーボードにより形成されていることから、床上材６とスペーサー材７との接着強度が、スペーサー材７と下地材４との接着強度よりも強くなり、リフォーム施工時に、床上材６を剥離する時に、下地材４の表層が多少欠き取られる程度で下地材４を残して、床上材６と一体にスペーサー材７が剥離されるため、その剥離作業が能率的となる。
【発明の効果】
【００２４】
以上説明したように、本発明の床構造によれば、多層構造及び中間層に形成される空気層の存在により、比較的上下厚さの薄い構造により、主として軽量床衝撃音及び空気伝搬音を効率的に低減若しくは遮音させることができる。
【００２５】
請求項３乃至５の構造とするこにより、多層の緩衝層と空気層が床構造の中層部に形成されることにより、主として軽量床衝撃音及び空気伝搬音を一層効率的に低減若しくは遮音させることができる。
【００２６】
本発明の施工方法によれば、その作業が容易で、粘着剤の養生のための時間も節約でき、粘着剤によるベトツキもなく、能率的である。また、隣り合うスペーサー材の間隔内に中間空気層が形成されるため、空気層の形成が容易で確実である。
【００２７】
また、本発明の再生方法によれば、本発明の床構造のリフォーム作業が容易で効率的であり、廃材の処理も一度にできる。
【図面の簡単な説明】
【００２８】
【図１】本発明に係る床構造の構成を示す断面図である。
【図２】図１のIIーII線断面図である。
【図３】本発明に係る床構造の分解斜視図である。
【図４】本発明のに係る床構造の施工工程を説明する平面図である。
【発明を実施するための形態】
【００２９】
次に、図の実施例を参照して、本発明に係る床構造の実施の形態を説明する。
実施の形態の床構造は、床下材１０の上面に敷設された下地材４と、下地材４の上面に間隔を置いて略平行に粘着されることにより設けられた帯板材よりなるスペーサー材７と、スペーサー材７の前記間隔内に形成される空気層５と、スペーサー材７の上面に粘着されることにより設置された床上材６と、を具備する多層構造とされている。
実施の形態に係る床構造は、例えば、２階以上の複数階を有する木造住宅の上階の多層の防音床板を構成し、住宅の床梁の上部に固定される。
【００３０】
床下材１０は、下層から、構造用合板１と、石膏ボード２と、硬質石膏ボード３とが、順次積層された構造になる。床下材１０は、一層の構造用板材により構成されていても良い。
【００３１】
床下材１０上面の上記下地材４とスペーサー材７とは、上述したように、木質ファイバーボードにより形成されるとともに、下地材はスペーサー材よりも木質繊維の密度が低い低密度のファイバーボードにより形成されている。具体的に、スペーサー材７はミディアムデンシティファイバーボード（ＭＤＦ）により形成され、下地材はインシュレーションファイバーボードにより形成されている。
【００３２】
下地材４は、緩衝層を構成し、上記インシュレーションボードの他、遮音マット等を用いることができる。
【００３３】
上記スペーサー材７は、両面に剥離紙７ｂによって覆われた粘着剤７ａ層を有する、フレキシブルな構造の帯板状合板又は上記の木質ファイバーボードにより形成されている。
【００３４】
上記スペーサー材７は、その上下幅が略３ｍｍ〜略５ｍｍ望ましくは略４ｍｍ、その左右幅が略５０ｍｍ〜略１５０ｍｍ望ましくは略１００ｍｍとされている。また、上記空気層５は、その上下幅が略３ｍｍ〜略５ｍｍ望ましくは略４ｍｍ、その左右幅が略２５０ｍｍ〜略４５０ｍｍ望ましくは略３００ｍｍとされている。スペーサー材７及び空気層５の上下幅を、略４ｍｍとすることにより、十分な防音効果があり、且つ、長年使用によっても、空気層３が潰れにくく、防音効果が持続されることが実験により確認されている。
【００３５】
上記床上材６は、床仕上材であり、通常のフローリング加工を施すことができる。場所と使用箇所によっては、合成樹脂材による床仕上材を施すことも可能である。
【００３６】
次に、上記床構造の施工方法を説明する。
２階以上の複数階を有する木造住宅の上階の床梁の上部に、上記床下材１０を載置固定する。この床下材１０の上面に上記下地材４を敷設して設ける。次いで、図４に示すように、下地材４の上面に、上下両面に予め形成した粘着剤７ａ，７ａ層を上下剥離紙７ｂ，７ｂで被覆した複数のスペーサー材７を、下剥離紙７ｂを剥離した状態で間隔を置いて平行に粘着させることにより設け、該スペーサー材７の前記間隔内に空気層５を形成する。このようにして粘着されたスペーサー材７の上剥離紙７ｂを、先端から所定幅剥離させ、該剥離面に表れた粘着剤７ａ上に、先頭の床上材６の板を粘着させる。先頭の床上材６の板が粘着された後に、さらに、上剥離紙７ｂを、後方に所定幅剥離させ、該剥離面に表れた粘着剤７ａ上に、次の床上材６の板を、先頭の床上材６の板に接合させて粘着させる。このようにして、下地材４の上面に、床上材６の板を順次粘着させて、床仕上げ面を形成する。
【００３７】
次に、上記の床構造が古くなった場合に行う、リフォーム再生方法について説明する。  上記床構造の再生方法では、古くなった既存の上記床構造を構成する、上記床上材６と上記スペーサー材７とを、互いに粘着された状態で剥離し、次いで、前記下地材４を上記床下材１０から剥離する。剥離された床下材１０の上面に、再生床処理を施す。再生床処理としては、上記のような新たな多層の防音床構造を施工させ、或いは、床下材１０の上面に通常のフローリング加工を施すなど、各種の再生床処理を施すことができる。
【００３８】
上記再生方法において、床上材６の下部にスペーサー材７が比較的強く粘着されており、下地材４はスペーサー材７よりも木質繊維の密度が低い低密度のファイバーボードにより形成されていることにより、床上材６を剥離する時に、床上材６と一体にスペーサー材７が剥離され、下地材４の表層が多少欠き取られる程度で容易に剥がれるため、その剥離作業が能率的となる。その後、下地材４を剥離させるようにする。
【産業上の利用可能性】
【００３９】
上記の実施の形態では、本発明の床構造を、２階以上の複数階を有する木造住宅の上階の防音床構造とした構成例につき説明した。しかしながら、本発明の床構造は、１階の床面の防音床構造にも適応される。本発明の床構造は、上述した防音機能の他、クッション機能もあり、幼稚園など幼児用の施設の床構造としても有効に用いられる。また、音響室などの、遮音外壁の構造としても用いられる。
【符号の説明】
【００４０】
１０  床下材
１    構造用合板
２    石膏ボード
３    硬質石膏ボード
４    下地材
５    空気層
６    床上材
７    スペーサー材
７ａ  粘着剤
７ｂ  剥離紙
【図１】
2010248862.tif 000003
【図２】
2010248862.tif 000004
【図３】
2010248862.tif 000005
【図４】
2010248862.tif 000006